(57)【要約】【課題】収納容器に収納される流体の流出量を好適にコントロールできるとともに、使い捨て可能な収納容器を提案すること。【解決手段】両端部が封止され、且つ端部近傍に一つ以上の打開手段２８が配置されるようにした長尺状ケーシング２７と、長尺状のケーシング内に差し込まれるとともに、その一端と長尺状ケーシング２７の端部とを相互に密着させるようにした塗布手段２９と、長尺状のケーシング内に収納される流体３０と、を備え、打開手段３８が打開されたときに、先に長尺状のケーシング２７の開口端とある物体とを摩擦させ、その塗布手段２９を介して流体３０の表面張力を破壊することによって、流体３０を引力の影響を受けさせて塗布手段２９に沿って長尺状のケーシング２７の外部へ流出させるようにした。【選択図】図５
2006131307.tif 000002
【特許請求の範囲】
【請求項１】
両端部が封止され、且つ端部近傍に一つ以上の打開手段が配置されるようにした長尺状ケーシングと、
前記の長尺状のケーシング内に差し込まれるとともに、その一端と長尺状ケーシングの端部とを相互に密着させるようにした管状塗布手段と、
前記の長尺状のケーシング内に収納される流体と、を備え、
前記の長尺状のケーシングにおける打開手段が打開される場合に、先に前記の長尺状のケーシングの開口端とある物体とを摩擦させ、その塗布手段を介して流体の表面張力を破壊することによって、流体を地心引力の影響を受けさせて塗布手段に沿って長尺状のケーシングの外部へ流出させるようにしたことを特徴とする、
塗布手段を隔絶した容器。
【請求項２】
前記打開手段として切り痕を利用し、使用者はその切り痕に沿って前記長尺状のケーシングを折ってその容器を打開するようにしたことを特徴とする、請求項１に記載の塗布手段を隔絶した容器。
【請求項３】
前記打開手段を介して前記長尺状のケーシングを打開する場合に、前記の塗布手段の他端部が前記長尺状のケーシングの開口端と相同の高さの切断面を形成し、長尺状のケーシングとある物体と摩擦する場合に、前記の流体の表面張力が塗布手段に破壊されて地心引力の影響によってその塗布手段に沿って前記長尺状のケーシングの外方へ流出されるようにしたことを特徴とする、請求項１に記載の塗布手段を隔絶した容器。
【請求項４】
前記長尺状のケーシングの内部には香水やアルコールやグリューなどの流体が充填されることを特徴とする、請求項３に記載の塗布手段を隔絶した容器。
【請求項５】
前記打開手段を使用する場合に、長尺状のケーシングが打開される場合に、前記塗布手段の他端部が前記長尺状のケーシングの開口端より突出露出され、その塗布手段を撥ねることによって流体の表面張力を破壊できるように処理し、流体が地心引力の影響を受けて前記の塗布手段に沿って前記長尺状のケーシングの外部へ流出されるようにしたことを特徴とする、請求項１に記載の塗布手段を隔絶した容器。
【請求項６】
前記塗布手段として爪楊枝を使用することを特徴とする、請求項５に記載の塗布手段を隔絶した容器。
【請求項７】
前記流体として口部を洗濯するための薬剤や薄荷油などの流体を好適に使用することを特徴とする、請求項５に記載の塗布手段を隔絶した容器。
【請求項８】
前記塗布手段の端部には吸収体が包まれ、その吸収体が前記の打開手段より突出露出され、その打開手段を介して前記の長尺状のケーシングを打開する場合に、前記の吸収体とある物体とを摩擦させることによって、流体の表面張力を塗布手段によって破壊し、地心引力の影響を受けて前記塗布手段に沿って前記長尺状のケーシングより外方へ流出され、且つ前記の吸収体に吸収され、ユーザーの塗布使用に供するようにしたことを特徴とする、請求項１に記載の塗布手段を隔絶した容器。
【請求項９】
長尺状の軟性のケーシングを有し、その両端部が密閉され、且つその端部近傍には一個以上の打開手段が配置されるようにした長尺状のケーシングと、
前記長尺状のケーシングの内部に差し込まれるとともに、その一端が前記の長尺のケーシングの端部と密着結合されるようにした管状塗布手段と、
前記長尺状のケーシングの内部に保存される流体と、を備えており、
前記長尺状のケーシングの打開手段が打開される場合に、前記軟性の長尺状のケーシングを圧迫することによってその内部の流体の表面張力を破壊し、且つ地心引力の影響によってその流体を前記の塗布手段に沿って前記の長尺状のケーシングの外部へ流出させるようにしたことを特徴とする、
塗布手段を隔絶した容器。
【請求項１０】
前記打開手段として切り痕を好適に使用でき、使用者はその切り痕に沿ってその軟性の長尺状のケーシングを折って打開させられるようにすることを特徴とする、請求項９に記載の塗布手段を隔絶した容器。
【請求項１１】
前記軟性の長尺状のケーシングの打開手段を備える端部には、中空状のプラグを塞ぐことによってその長尺状のケーシングの端部の内部空間を短縮することによりその長尺状のケーシングの両端部に不均一にならせ、その作法によって、前記長尺状のケーシングの内部の流体の流出量を減少させることにより、流体の流出量を効果的にコントロールするようにしたことを特徴とする、請求項９に記載の塗布手段を隔絶した容器。
【請求項１２】
前記プラグにおいては、同じように打開手段が配設され、その打開手段が前記長尺状のケーシングの打開手段とがオーバーラップし、それらの打開手段が打開される場合に、前記プラグも折って切れるようになることを特徴とする、請求項１１に記載の塗布手段を隔絶した容器。
【発明の詳細な説明】
【技術分野】
【０００１】
本発明は、密封されたケーシングに付加される塗布手段に係わり、特にその塗布手段が例えば殺菌剤や他の薬物性の流体と一緒にあるケーシング内に密封されるようにした塗布手段を隔絶した容器に関するものである。
【背景技術】
【０００２】
容器と塗布手段との結合のものがよく見られるものであり、そのような塗布手段が容器の内面部または外面部に付着されるものが多い。しかしながら、一般的な設計においては、そのような塗布手段と容器とがばらばらに設けられるものが多い。また、大部分の塗布手段の付いている容器には、大体大量な流体が充填されており、そのため、容器の体積および仕様が縮減される場合に、その内部におけるスペースが相対的に縮減されるようになってしまい、その容器内部に塗布手段を配置するためのスペースがなくなる。そのため、塗布手段が容器の外部に付着される必要があるようになり、または、その容器の外部に塗布手段がついている構造になるように作成する必要がある。
【０００３】
容器の体積と仕様がその内部の流体の表面張力を十分に発揮させるようにサイズに創作される場合に、流体の重量が克服され、流体が容器より流出しがたくなる。このような状態は大部分の容器に発生されており、そのため、容器を最小の体積と仕様を有するように創作する場合では、好ましい状態を形成できる。しかしながら、単一の流体の応用の場合では、例えば、サンプルや香水や局部的に使用される薬品などのものの場合では、その最小の体積と仕様を有する容器は、依然として大型に属すると認められる。そのため、微少量の流体を収納するための容器を創作する際に、その最小の体積と仕様の制限によって、その様な容器が依然として大きすぎると認められることが多く、過大の量の流体を収納するようになることが多い。また、塗布手段を容器の外表面部に付着させる場合では、その容器の仕様が増大する必要はないが、多くの流体がその塗布手段に実施される場合にかなりの量の浪費を招く場合がある。
【発明の開示】
【発明が解決しようとする課題】
【０００４】
前記したそれぞれの課題に鑑みて、本発明は、流体を小径の容器に収納し、且つ塗布手段によってその流体の表面張力を破壊し、流体をその小径の管状容器より流出可能にならせ、使用に好適に提供できる、塗布手段を隔絶した容器を提供することをその主要な解決しようとする課題とする。
【０００５】
また、本発明は、流体を小径の管状容器内に収納し、その収納される流体の量がコントロールされることができ、使用後に直接に廃棄可能にすることができることを特徴とする、塗布手段を隔絶した容器を提供することをその第二の解決しようとする課題とする。
【課題を解決するための手段】
【０００６】
本発明は、例えば香水や殺菌剤や他の薬品などを一つまたは一つの打開手段を有するケーシングからなる、塗布手段が配置されている、長尺状のケーシングに収納し、その塗布手段として例えば綿ボール棒や爪楊枝のような長尺状の部材などを好適に使用し、且つその塗布手段の両端部に相同の、またはそれぞれ異なるような先端部を配設し、またはその両端部を相同の、またはそれぞれ異なる流体が収納されている容器の両端部に配設し、塗布手段が露出される場合に、その容器内の流体が接触され、その塗布手段の先端部に至って使用に供するようにした、塗布手段を隔絶した容器を提供する。
【発明の効果】
【０００７】
本発明の提供した塗布手段を隔絶した容器と、他の従来の技術と相互に比較する場合に、さらに下記のような産業上の優れる利用性の点を有している：
（１）本発明は、流体を小径の管状容器に収納するとともに、塗布手段によって流体の表面張力を破壊するため、流体が小径の収納容器より流出することができ、使用者の使用に好適に供することができる。
（２）本発明は、流体を小径の収納容器内に収納するため、その充填される流体の量がコントロールを受けることができ、使用後に捨てることができ、流体の浪費を招く場合を生成することはないと認められている。
【発明を実施するための最良の形態】
【０００８】
以下に添付図面を参照しながら本発明の優れる実施の形態を詳細的で具体的に説明する。
図１Ａに示すように、本発明の第一の実施の形態においては、その塗布手段を隔絶した容器１には、塗布手段１を有し、それが流体２、例えば香水や殺菌剤や他の薬物などとが、一緒に前記の塗布手段５の先端部近傍に打開手段４が配設されている長尺状のケーシング３の内部に密封され、その打開手段４には、例えば簡単に捻り落とすことがしやすい蓋体を有し、それが前記の長尺状のケーシング３の一部分となって形成でき、図１Ｂに示すようであり、塗布手段の先端部５が露出されるとともに、前記打開手段４を通過する場合に、前記の長尺状のケーシング３における流体２が前記の塗布手段の先端部５を通すことができるようになる。
【０００９】
前記の塗布手段１と前記の長尺状のケーシング３とが、一体成形によって作製してもよいが、ブロー成形することによって作製させるものなどをも好適に使用できる。
また、その好適な実施の形態として、前記の塗布手段１として、中空状の長尺状の部材を好適に使用でき、且つそれは、長尺状のケーシング３の底面部の中心の箇所より上向けて長尺状のケーシング３の上端部まで延伸形成される。
その塗布手段１としても硬直の長尺状物体を好適に使用できる。また、前記の長尺状のケーシング３の前記の塗布手段の先端部の近傍に近接する箇所には打開手段４が形成され、且つ切り痕または断面の厚さを減少する方式などを採用することによって、その先端部が移動されることができるように設定し、その塗布手段の先端部５を露出させる。また、前記の打開手段４として取り外し可能なキャップや緊密的に螺旋されるキャップなどを好適に使用でき、それを介して長尺状のケーシング３における塗布手段先端部５に近接する部位を打開する。また、前記の打開手段４の形状が前記の塗布手段の先端部５の輪郭に近似し、その仕様が流体２を前記の長尺状のケーシング３内に収納することを許容できるように設定され、その流体を前記の長尺状のケーシング３より流出させることができるようにするとともに、前記の塗布手段の先端部５に至らせることができる。また、前記の塗布手段１が抽出器としての機能と塗布器としての機能とを有し、その塗布手段１の延長体６がその長尺状のケーシング３内における流体２の表面張力を破壊する機能を有し、それによって前記の長尺状のケーシング３内に存在する流体２の毛細管作用によってその流体２の表面張力を克服し、その流体２を前記の長尺状のケーシング３の外方へ流出させることができ。長尺状のケーシング３の体積と仕様がかなり小さい場合では、流体２が依然として塗布手段の先端部５へ流れることができ、且つ予期された位置に応用されることができる。
【００１０】
図２は、塗布手段を隔絶した容器の第二の実施の形態を示す説明図であり、それには長尺状のケーシング７を備え、その長尺状のケーシング７が打開手段１０の近傍に粘着される先端部９を有する塗布手段８を有しており、前記の長尺状のケーシング７の打開手段１０が打開される場合に、一部の塗布手段の先端部９が露出される。また、塗布手段８の本体１１が長尺状部材に形成され、その本体１１が長尺状ケーシング７まで延長される長さを有し、且つ打開手段１０より離れ、長尺状のケーシング７内の流体１２を塗布手段の先端部９まで流出されることを許容するとともに、応用されることを許容する。他に、前記の塗布手段８の本体１１が長尺状のケーシング７内の流体１２の表面張力を破壊し、長尺状のケーシング７内の流体１２の毛細管作用によって、流体１２の表面張力を克服し、流体１２を長尺状のケーシング７の外部へ流出させることを許容する。その長尺状ケーシング７の体積と仕様とがかなり小さい場合でも、前記の流体１２が同じように塗布手段の先端部９へ流れることができ、且つ予期した位置へ応用されることができる。
【００１１】
図３は、塗布手段を隔絶した容器の第三の実施の形態を示す説明図であり、それには、長尺状のケーシング１３を有し、当該長尺状のケーシング１３が二つの端部１５，１６を有する塗布手段１４を包むとともに、密封をし、その中のある端部１５が綿棒のような塗布手段に形成される。また、その他の端部１６が爪楊枝のような塗布手段に形成され、且つその塗布手段１４の両端部１５，１６の間に拡大部１７を配置し、その拡大部１７が前記の長尺状のケーシング１３の内部に粘着され、長尺状のケーシング１３を二つの密閉空間を有する容器に隔離形成させ、二種類の異なるタイプの流体同士１８，１９をそれぞれ収納するようにし、且つ拡大部を前記の長尺状のケーシング１３の内方に保持することによって同じような流体をそれらの両端部１５，１６の間で流動可能に設定する。
【００１２】
図４は、塗布手段を隔絶した容器の第四の実施の形態であり、それには長尺状のケーシング２０を有し、その長尺状のケーシング２０には、二つの端部２２，２３を有する塗布手段２１を包み・密閉しており、且つそれらの二つの端部２２，２３にはすべて綿棒のような塗布手段を有し、且つその塗布手段２１の両端部２２，２３の間に拡大部２４が配設され、その拡大部２４が前記の長尺状のケーシング２０に粘着付着され、長尺状のケーシング１３を二つの密閉された収納空間同士に分割し、二種類のそれぞれ異なる流体２５，２６を収納し、または、拡大部２４を前記の長尺状のケーシング２０内に保持し、且つ同じような流体をそれらの両端部２２，２３の間で流動可能に設定する。
【００１３】
図５は、塗布手段を隔絶した容器の第五の実施の形態であり、それには、長尺状のケーシング２７を有し、当該長尺状のケーシング２７が小径の長尺状の管体であり、その両端部３１，３２が封止され、且つその端部の近傍には打開手段２８が配設され、その打開手段２８として切り痕などを形成することができる。使用者がそのような切り痕に沿って長尺状のケーシング１を折って打開することができる。また、その長尺状のケーシング２７の中には管状の塗布手段２９が包み・密封されており、その塗布手段２９の径が長尺状のケーシング２７の径より小さく設定され、その一端部を長尺状のケーシング２７の端部３１に密合し、且つ他の端部を長尺状のケーシング２７の打開手段２９と同じなレベルに位置させるように設定し、且つその管状塗布手段２９として中実や中空などの状態に形成させ、その長尺状のケーシング２７の中には流体３０が充填され、その流体３０として香水やアルコールやグリューなどの溶剤を好適に収納できる。
【００１４】
使用者がその打開手段２を打開する場合に、その長尺状のケーシング２７のある端部３２が打開され、管状の塗布手段２９の長さを長尺状のケーシングの長さとほぼ同じような長さに設定する。このような場合では、前記の長尺状のケーシング２７内の流体３０が管径が小径であることと、毛細現象と大気圧力などの影響によって、長尺状のケーシング２７の外部へ流出されることができなく、その流体３０を流出させようとする場合に、使用者はその長尺状のケーシング２７の開口部といずれの物体とを接触摩擦させてから、その流体４の表面張力を破壊した後、流体４を地心引力の影響を受けさせて管状の塗布手段２９に沿って長尺状のケーシング２７の外部へ流出させて使用者の塗布使用に供する。
【００１５】
図６は、塗布手段を隔絶した容器の第六の実施の形態であり、それは、塗布手段３３の先端部を角錐状に作製し、その塗布手段３３を爪楊枝のような形態に形成させ、且つその塗布手段３３の長さが前記の打開手段２８より長くなるように設定され、且つその長尺状のケーシング２７内に口部を洗濯するための薬剤や薄荷溶液などの流体３０を収納する。使用者がその打開手段２８を打開する場合に、その長尺状のケーシング２７のある端部３２が打開され、塗布手段３３の角錐状の端部をその長尺状のケーシング２７の外部へ露出させ、使用者に歯部を掃除することに供し、塗布手段３３が撥ねられると、長尺状のケーシング２７内の流体３０の表面張力が破壊され、流体３０が地心引力の影響を受け、塗布手段３３に沿って使用者の口部に流れ込まれ、その口部を洗濯する目的を図る。
【００１６】
また、図７は、塗布手段を隔絶した容器の第七の実施の形態を示す説明図であり、その中では、その塗布手段３４の長さが打開手段２よりやや短くなるように設定され、且つその塗布手段３４の打開手段２８に近接する端部には吸収体３５が包まれ、その吸収体３５が前記打開手段２８より突出露出され、且つその長尺状のケーシング２７の内部には揮発性を有する流体３０、例えば、アルコールや香水などが収納されている。使用者がその打開手段２８を打開する場合に、その長尺状のケーシング２７のある端部３２が打開され、塗布手段３４の端部の吸収体３５が前記の長尺状のケーシング２７の開口の外部へ突出露出されることを招き、使用者はその吸収体３５をある物体と摩擦してから、その流体３０の表面張力が破壊され、地心引力を影響を受けて、塗布手段３０に沿って長尺状のケーシング２７の外部へ流出され、且つ吸収体３５に吸収され、使用者がその吸収体３５を使用して塗布を実行できる。
【００１７】
図８は、塗布手段を隔絶した容器の第八の実施の形態を示す説明図であり、それは、長尺状のケーシング３６を二つの端部４０，４１が密閉される長尺状のホース状物に作製し、その内部には同じように管状の塗布手段３７が配設される。その塗布手段３７のある端部と長尺状のケーシング３６のある端部４０と密接され、その他の端部が打開手段３８と近接し、且つ同じようなレベルに位置され、且つその長尺状のケーシング３６内には目薬や人工涙液などの流体３９が充填されている。使用者がその打開手段３８を打開する場合に、前記の長尺状のケーシング３６のある端部４１が打開される。この際、流体３９が毛細現象と大気圧力の影響を受けて、長尺状のケーシング３６の内部に保存され、使用者はその長尺状のケーシング３６の外方より圧着する力を施すことによって容器７を圧迫し、流体４の表面張力が破壊され、塗布手段３７に沿って長尺状のケーシング３６の外方へ流出される。長尺状のケーシング３６が力を受けない場合に、前記の流体３９がまた、毛細現象と大気圧力の影響を受けて前記の長尺状のケーシング３６の中に保留される。そのため、使用者は次々へと長尺状のケーシング３６を圧迫し続けて流体３９を釈放させる必要があり、そうすると、長尺状のケーシング３６の内部における目薬が滴になるように排出され、使用者の眼部に入ることができるようになる。
【００１８】
また、本発明は、前記のホース状の長尺状のケーシング３６における打開手段３８の配設端部に中空のプラグ４２を塞いでもよく、図９に示すように、長尺状のケーシング３６の端部の内部空間を縮減するようにしてもよく、そのプラグ４２には同じように打開手段（符号なし）が配設され、且つその打開手段とその長尺状のケーシング３６の打開手段３８とがオーバーラップし、使用者はその打開手段３８を打開する場合に、そのプラグ４２も同じように折って切れるようになり、その長尺状のケーシング３６のある端部４１が打開され、その打開端部４１の開口がプラグ４２に塞がれるため、その径が長尺状のケーシング３６自身の径より小さくなり、長尺状のケーシング３６の内部の流体３９の流出量が減少され、流体３９の流出する流量を効果的に制御する。
【００１９】
前記に含まれる多くの技術手段が本発明の主張範囲として強調されるべきではないものと認められ、単に本発明の優れる実施の形態の一部の例として認められるべきである。そのため、本発明の範囲を前記のそれぞれの例によって制限するより、その付加条件を請求項に加入して権利を求めることのほうが好適であると認められている。
【００２０】
前記に詳細に説明したのは、本発明の実施可能な実施の形態を具体的に説明するものに過ぎなく、それらの実施の形態は本発明の主張範囲を狭義的に制限するものではなく、本発明の技術要旨を逸脱しない他の相同の効果を有する実施や変更や改造などのものも、すべて本発明の主張範囲内に納入されるべきことが言うまでもないことである。
【図面の簡単な説明】
【００２１】
【図１】Ａは、本発明の塗布手段を隔絶した容器の第一の実施の形態を示す説明図である。Ｂは、本発明の塗布手段を隔絶した容器の第一の実施の形態の応用状態を示す説明図である。
【図２】本発明の塗布手段を隔絶した容器の第二の実施の形態を示す説明図である。
【図３】本発明の塗布手段を隔絶した容器の第三の実施の形態を示す説明図である。
【図４】本発明の塗布手段を隔絶した容器の第四の実施の形態を示す説明図である。
【図５】本発明の塗布手段を隔絶した容器の第五の実施の形態を示す説明図である。
【図６】本発明の塗布手段を隔絶した容器の第六の実施の形態を示す説明図である。
【図７】本発明の塗布手段を隔絶した容器の第七の実施の形態を示す説明図である。
【図８】本発明の塗布手段を隔絶した容器の第八の実施の形態を示す説明図である。
【図９】本発明の塗布手段を隔絶した容器の第九の実施の形態を示す説明図である。
【符号の説明】
【００２２】
１  塗布手段
２  流体
３  長尺状のケーシング
４  打開手段
５  塗布手段の先端部
６  長尺状部材
７  長尺状のケーシング
８  塗布手段
９  塗布手段の先端部
１０  打開手段
１１  本体
１２  流体
１３  長尺状のケーシング
１４  塗布手段
１５  端部
１６  端部
１７  拡大部
１８  流体
１９  流体
２０  長尺状のケーシング
２１  塗布手段
２２  端部
２３  端部
２４  拡大部
２５  流体
２６  流体
２７  長尺状のケーシング
２８  打開手段
２９  塗布手段
３０  流体
３１  端部
３２  端部
３３  塗布手段
３４  塗布手段
３５  吸収体
３６  長尺状のケーシング
３７  管状の塗布手段
３８  打開手段
３９  流体
４０  端部
４１  端部
４２  プラグ
【図１】
2006131307.tif 000003
【図２】
2006131307.tif 000004
【図３】
2006131307.tif 000005
【図４】
2006131307.tif 000006
【図５】
2006131307.tif 000007
【図６】
2006131307.tif 000008
【図７】
2006131307.tif 000009
【図８】
2006131307.tif 000010
【図９】
2006131307.tif 000011